(57)【特許請求の範囲】
【請求項１】
携帯電話網にアクセスするための携帯電話用通信部と、
インターネット網に接続された無線ＬＡＮにアクセスするための無線ＬＡＮ用通信部と、
発呼操作を受付ける発呼入力部と、を備える携帯端末を、
前記発呼入力部が、発呼を受付けた際に、前記無線ＬＡＮの電波状態を判断する無線ＬＡＮ電波状態判断手段、
前記無線ＬＡＮ電波状態判断手段が電波状態を良好であると判断した場合に、前記インターネット網を利用した発呼処理を実行するインターネット網発呼実行手段、
前記無線ＬＡＮ電波状態判断手段が電波状態を良好でないと判断した場合に、前記携帯電話用通信部を介する発呼処理を実行する携帯電話用発呼実行手段、
前記発呼入力部が発呼を受付けるにあたり、前記携帯電話用通信部による発呼、及び前記無線ＬＡＮ用通信部による発呼の双方で共通の入力インターフェースにより構成される入力手段として、機能させるためのプログラムであって、
前記携帯端末は、当該携帯端末に加えられた速度を検知する加速度検知部をさらに備え、
前記加速度検知部により検知した速度の大きさ及び、予め設定されたルールに応じて、前記インターネット網発呼実行手段は、前記無線ＬＡＮ電波状態判断手段が電波状態を良好であると判断した場合であっても、前記インターネット網を利用した発呼処理を行わず、前記携帯電話用発呼実行手段が前記携帯電話用通信部を介する発呼処理を機能させるためのプログラム。
【請求項２】
前記発呼入力部が、発呼を受付けた際に、前記携帯電話網の電波状態を判断する携帯電話網電波状態判断手段として機能させ、さらに、
前記携帯電話網電波状態判断手段が電波状態を良好であると判断した場合であっても、前記インターネット網発呼実行手段が、前記無線ＬＡＮ電波状態判断手段が電波状態を良好であると判断した場合には、前記携帯電話用発呼実行手段は発呼処理を実行せず、前記インターネット網発呼実行手段が、前記インターネット網を利用した発呼処理を機能させるための、請求項１に記載のプログラム。
【請求項３】
前記インターネット網を利用した発呼処理による通話中に、前記無線ＬＡＮ電波状態判断手段が電波状態を良好でないと判断した場合に、前記携帯電話用発呼実行手段が、前記インターネット網を利用した前記通話中の電話番号に呼接続要求を行い、当該呼接続が完了した際には、所定のタイミングで、前記携帯電話網による通話に切替えるネットワーク切替手段として、前記携帯端末を、さらに機能させるための請求項１又は２に記載のプログラム。
【請求項４】
携帯電話網にアクセスするための携帯電話用通信部と、
インターネット網に接続された無線ＬＡＮにアクセスするための無線ＬＡＮ用通信部と、
発呼操作を受付ける発呼入力部と、を備える携帯端末であって、
前記発呼入力部が、発呼を受付けた際に、前記無線ＬＡＮの電波状態を判断する無線ＬＡＮ電波状態判断手段と、
前記無線ＬＡＮ電波状態判断手段が電波状態を良好であると判断した場合に、前記インターネット網を利用した発呼処理を実行するインターネット網発呼実行手段と、
前記無線ＬＡＮ電波状態判断手段が電波状態を良好でないと判断した場合に、前記携帯電話用通信部を介する発呼処理を実行する携帯電話用発呼実行手段と、
前記発呼入力部が発呼を受付けるにあたり、前記携帯電話用通信部による発呼、及び前記無線ＬＡＮ用通信部による発呼の双方で共通の入力インターフェースにより構成される入力手段と、
当該携帯端末に加えられた速度を検知する加速度検知部と、を備え、
前記加速度検知部により検知した速度の大きさ及び、予め設定されたルールに応じて、前記インターネット網発呼実行手段は、前記無線ＬＡＮ電波状態判断手段が電波状態を良好であると判断した場合であっても、前記インターネット網を利用した発呼処理を行わず、前記携帯電話用発呼実行手段が前記携帯電話用通信部を介する発呼処理を実行する携帯端末。
【請求項５】
携帯電話網にアクセスするための携帯電話用通信部と、
インターネット網に接続された無線ＬＡＮにアクセスするための無線ＬＡＮ用通信部と、
発呼を受付けるにあたり、前記携帯電話用通信部による発呼、及び前記無線ＬＡＮ用通信部による発呼の双方で共通の入力インターフェースに対して、発呼操作を受付ける発呼入力部と、を備える携帯端末が実行する方法であって、
前記発呼入力部が発呼を受付けた際に、前記無線ＬＡＮの電波状態を判断するステップと、
前記無線ＬＡＮの電波状態を判断するステップにて、電波状態を良好であると判断した場合に、前記インターネット網を利用した発呼処理を実行するステップと、
前記無線ＬＡＮの電波状態を判断するステップにて、電波状態を良好でないと判断した場合に、前記携帯電話用通信部を介する発呼処理を実行するステップと、を備え、さらに、
前記携帯端末は、当該携帯端末に加えられた速度を検知する加速度検知部を備え、
前記加速度検知部により検知した速度の大きさ及び、予め設定されたルールに応じて、前記インターネット網を利用した発呼処理を実行するステップでは、前記無線ＬＡＮ電波状態を判断するステップにて電波状態を良好であると判断した場合であっても、前記インターネット網を利用した発呼処理を行わず、前記携帯電話用通信部を介する発呼処理を実行する方法。
【発明の詳細な説明】
【技術分野】
【０００１】
本発明は、通話のためのネットワークを選択するプログラム、携帯端末及び方法に関する。
【背景技術】
【０００２】
近年、携帯端末として、スマートフォンの普及により、無線ＬＡＮを介してインターネット網を利用した通話が一般的になってきている。例えば、非特許文献１に示すように、ＩＰ電話用のアプリケーションを使用すると、携帯端末から発信した場合に、通話料が無料で通話を行うことが可能である。
【０００３】
また、このような携帯端末では、従来より、この無線ＬＡＮのインターネット網とは別に、第３世代移動通信システム等の携帯電話網を利用することで、通常の通話を行うことができる。
【先行技術文献】
【非特許文献】
【０００４】
【非特許文献１】スカイプ・テクノロジー社、“Ｓｋｙｐｅ”、［ｏｎｌｉｎｅ］、［平成２２年１０月６日検索］、インターネット＜ＵＲＬ：ｈｔｔｐ：//ｗｗｗ.ｓｋｙｐｅ.ｃｏｍ/ｉｎｔｌ/ｅｎ/ｈｏｍｅ/＞
【発明の概要】
【発明が解決しようとする課題】
【０００５】
しかしながら、このような無線ＬＡＮを介してインターネット網を利用するアプリケーションがあっても、ユーザにとっては、通話発信を行う際に、意識的にこの無線ＬＡＮを介してインターネット網を利用するアプリケーションを選択して、起動しなければならない。これを忘れてしまうと、通常の通話には、携帯電話網を利用するソフトウェアを起動してしまうからである。
【０００６】
ユーザにとっては、無線ＬＡＮを介してインターネット網を利用するアプリケーションによる発信であれば、通話料が無料になるなどの、メリットがある場合がある。
【０００７】
本発明は、ユーザが意図的に起動させようとしなくても、無線ＬＡＮを介したインターネット網を利用する通話発信をすべきか、携帯電話網を利用する通話発信をすべきかを自動的に選択して、通話発信を行うプログラム、携帯端末及び方法を提供することを目的とする。
【課題を解決するための手段】
【０００８】
本発明では、以下のような解決手段を提供する。
【０００９】
第１の特徴に係る発明は、携帯電話網にアクセスするための携帯電話用通信部と、
インターネット網に接続された無線ＬＡＮにアクセスするための無線ＬＡＮ用通信部と、
発呼操作を受付ける発呼入力部と、を備える携帯端末を、
前記発呼入力部が、発呼を受付けた際に、前記無線ＬＡＮの電波状態を判断する無線ＬＡＮ電波状態判断手段、
前記無線ＬＡＮ電波状態判断手段が電波状態を良好であると判断した場合に、前記インターネット網を利用した発呼処理を実行するインターネット網発呼実行手段、
前記無線ＬＡＮ電波状態判断手段が電波状態を良好でないと判断した場合に、前記携帯電話用通信部を介する発呼処理を実行する携帯電話用発呼実行手段、として機能させるためのプログラム、を提供する。
【００１０】
第１の特徴に係る発明によれば、発呼を受付けた際に、無線ＬＡＮの電波状態を判断し、電波状態を良好であると判断した場合に、インターネット網を利用した発呼処理を実行し、電波状態を良好でないと判断した場合に、前記携帯電話用通信部を介する発呼処理を実行する。
【００１１】
したがって、ユーザが意図的に起動させようとしなくても、インターネット網を利用する通話発信をすべきか、携帯電話網を利用する通話発信をすべきかを自動的に選択して、通話発信をするプログラムを提供することが可能である。
【００１２】
第１の特徴に係る発明は、発明のカテゴリにおいてユーザ端末のみならず、方法、プログラムにおいても同様の作用・効果を奏する。
【００１３】
第２の特徴に係る発明は、第１の特徴に係る発明であって、さらに、前記発呼入力部が発呼を受付けるにあたり、前記携帯電話用通信部による発呼、及び前記無線ＬＡＮ用通信部による発呼の双方で共通の入力インターフェースにより構成される入力手段として、機能させるためのプログラム、を提供する。
【００１４】
したがって、ユーザは、無線ＬＡＮを介してインターネット網を利用する発呼か、携帯電話網を介する発呼かを、自らが選択することなく、双方で共通の一の入力インターフェースで発呼をするだけで、適切なネットワークを自動的に選択することが可能である。ここで、共通の一の入力インターフェースは、共通の一のアプリケーションが提供するインターフェースであってもよい。
【００１５】
第３の特徴に係る発明は、第１又は第２の特徴に係る発明であって、
前記発呼入力部が、発呼を受付けた際に、前記携帯電話網の電波状態を判断する携帯電話網電波状態判断手段として機能させ、さらに、
前記携帯電話網電波状態判断手段が電波状態を良好であると判断した場合であっても、前記インターネット網発呼実行手段が、前記無線ＬＡＮ電波状態判断手段が電波状態を良好であると判断した場合には、前記携帯電話用発呼実行手段は発呼処理を実行せず、前記インターネット網発呼実行手段が、前記インターネット網を利用した発呼処理を機能させるためのプログラムを提供する。
【００１６】
したがって、携帯電話網を介する発呼が可能である場合であっても、優先的に無線ＬＡＮを介してインターネット網を利用する発呼を行う。
【００１７】
第４の特徴に係る発明は、第１から第３の特徴に係る発明であって、
当該携帯端末に加えられた加速度又は速度を検知する加速度検知部として、機能させ、さらに、
前記加速度検知部により検知した加速度又は速度の大きさに応じて、前記インターネット網発呼実行手段は、前記無線ＬＡＮ電波状態判断手段が電波状態を良好であると判断した場合であっても、前記インターネット網を利用した発呼処理を行わず、前記携帯電話用発呼実行手段が前記携帯電話用通信部を介する発呼処理を機能させるためのプログラム、を提供する。
【００１８】
無線ＬＡＮの電波が到達可能なエリアは、通常、携帯電話網の電波が到達可能なエリアよりも狭いため、携帯端末が所定の速度で移動している場合は、無線ＬＡＮによる発呼処理を行うと、通話中に、電波が到達不可能となり通話ができなくなる場合がある。そこで、第４の特徴に係る発明のように、加速度又は速度の大きさに応じて、携帯電話網を介する発呼を優先させることで、この課題を回避することが可能である。
【００１９】
第５の特徴に係る発明は、第１から第４の特徴に係る発明であって、
前記インターネット網を利用した発呼処理による通話中に、前記無線ＬＡＮ電波状態判断手段が電波状態を良好でないと判断した場合に、前記携帯電話用発呼実行手段が、前記インターネット網を利用した前記通話中の電話番号に呼接続要求を行い、当該呼接続が完了した際には、所定のタイミングで、前記携帯電話網による通話に切替えるネットワーク切替手段として、前記携帯端末を、さらに機能させるためのプログラム、を提供する。
【００２０】
したがって、インターネット網を利用した発呼処理を行った後に、無線ＬＡＮの電波状態が良好でなくなった場合には、並行して、この通話中の相手先に携帯電話網を利用した呼接続も行い、インターネット網を利用した通話から携帯電話網による通話に切替えることができる。ここで、ネットワークを切替える時間は、通話中のユーザが切替ったことを意識しないように、可能な限り短い方が望ましい。
【００２１】
第６の特徴に係る発明は、携帯電話網にアクセスするための携帯電話用通信部と、
インターネット網に接続された無線ＬＡＮにアクセスするための無線ＬＡＮ用通信部と、
発呼操作を受付ける発呼入力部と、を備える携帯端末を、
前記無線ＬＡＮの電波状態を判断する無線ＬＡＮ電波状態判断手段、
前記無線ＬＡＮ電波状態判断手段が電波状態を良好であると判断した場合には、前記インターネット網を利用した発呼処理を実行するように予め設定するインターネット網発呼設定手段、
前記無線ＬＡＮ電波状態判断手段が電波状態を良好でないと判断した場合には、前記発呼入力部が、発呼を受付けた際に、前記携帯電話用通信部を介する発呼処理を実行するように予め設定する携帯電話用発呼設定手段、として機能させるためのプログラム、を提供する。
【００２２】
第６の特徴に係る発明によれば、無線ＬＡＮの電波状態を判断し、無線ＬＡＮの電波状態を良好であると判断した場合には、発呼を受付けた際に、インターネット網を利用した発呼処理を実行するように予め設定する。そして、電波状態を良好でないと判断した場合には、発呼を受付けた際に、携帯電話用の通信部を介する発呼処理を実行するように予め設定する。
【００２３】
したがって、第１の特徴に係る発明と異なり、ユーザからの発呼操作に応じて、電波状態を確認するのではなく、発呼操作前に、予め携帯端末が電波状態を確認しておき、無線ＬＡＮを介したインターネット網または携帯電話網のいずれかにより発呼を行うかを設定しておく。そして、発呼操作があった場合に、その設定された通信部を利用して発呼処理を行うことが可能である。
【発明の効果】
【００２４】
本発明によれば、ユーザが意図的に起動させようとしなくても、無線ＬＡＮを介したインターネット網を利用する通話発信をすべきか、携帯電話網を利用する通話発信をすべきかを自動的に選択して、通話発信を行う携帯端末、方法及びプログラムを提供することが可能である。
【図面の簡単な説明】
【００２５】
【図１】図１は、携帯端末１０の機能ブロック図である。
【図２】図２は、携帯端末１０が実行する第１処理のフローを示す図である。
【図３】図３は、携帯端末１０が表示する発呼インターフェースを示す図である。
【図４】図４は、携帯端末１０が表示する発呼インターフェース（移動時）を示す図である。
【図５】図５は、携帯端末１０が実行する第２処理のフローを示す図である。
【図６】図６は、ネットワークの電波状態が重複した際に選択するネットワークを説明する概念図である。
【図７】図７は、携帯端末１０が実行する第３処理のフローを示す図である。
【発明を実施するための形態】
【００２６】
以下、本発明を実施するための最良の形態について図を参照しながら説明する。なお、これはあくまでも一例であって、本発明の技術的範囲はこれに限られるものではない。
【００２７】
［各機能の説明］
図１は、携帯端末１０の機能ブロック図である。図１を参照して説明する。
【００２８】
携帯端末１０とは、電話での通話機能及び外部とのデータ通信を行う機能を備える端末であり、第３世代移動通信システム等の携帯電話網と、無線ＬＡＮのインターネット網と、接続可能な端末である。なお、携帯電話網は、第３世代移動通信システムに限定されることなく、インターネット網と異なる通信回線を利用したネットワーク網（専用回線網等）であってよい。
【００２９】
携帯端末１０は、ＯＳ（Ｏｐｅｒａｔｉｎｇ  Ｓｙｓｔｅｍ）を有する携帯型コンピュータ端末であって、例えば、携帯電話、携帯情報端末、コンピュータ（パソコン）、テレビ、電話機に加えて、スマートフォン、ネットブック端末、スレート端末、電子書籍端末、携帯型音楽プレーヤ、携帯型コンテンツ再生・録画プレーヤ等の携帯型情報家電であってよい。
【００３０】
携帯端末１０は、制御部２０として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、さらに、記憶部として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）のいずれか又は双方を備える。発呼入力部３０として、画像を表示し、かつ、ユーザからの入力を受付けるタッチパネル部を備える。
【００３１】
携帯端末１０は、通信部５０として、無線ＬＡＮ用通信部５１と、携帯電話用通信部５２を備える。無線ＬＡＮ用通信部５１は、ＩＥＥＥ８０２．１１に準拠した無線デバイス（ＷｉＦｉ（Ｗｉｒｅｌｅｓｓ  Ｆｉｄｅｌｉｔｙ）対応デバイス等）であってよい。携帯電話用通信部５２は、第３世代移動通信システム等のＩＭＴ−２０００規格に準拠した無線デバイスである。なお、無線ＬＡＮの無線電波範囲は、ＳＳＩＤ（Ｓｅｒｖｉｃｅ  Ｓｅｔ  Ｉｄｅｎｔｉｆｅｒ）によって区別される個々のネットワークの電波範囲である。
【００３２】
携帯端末１０は、加速度検知部４０として、携帯端末１０が受けている加速度を計測することが可能な加速度デバイスを備える。加速度検知部４０は、半導体式のピエゾ抵抗型を利用することで、３軸方向での加速度の検出が可能であることが望ましい。加速度検知部４０は、加速度デバイスと、ＧＰＳ（Ｇｌｏｂａｌ  Ｐｏｓｉｔｉｏｎｉｎｇ  Ｓｙｓｔｅｍ）デバイスとを併用して、携帯端末１０が速度又は加速度を有して移動しているかを総合的に判断してもよい。
【００３３】
制御部２０は、無線ＬＡＮ電波状態判断手段２１と、携帯電話網電波状態判断手段２２と、インターネット網発呼実行手段２３と、携帯電話用発呼実行手段２４と、を備える。各手段の機能については、図２に基づいて説明する。
【００３４】
アプリケーションとは、携帯端末１０で起動可能なソフトウェア・プログラムであって、例えば、当該携帯端末１０にインストールされたアプリケーションであってよい。アプリケーションは、通常、携帯端末１０の表示部に表示されたアイコン等をユーザが操作することで起動する。アプリケーションが起動されると、ユーザインターフェースが表示され、ユーザからの入力を受付ける。特に、以下の実施形態で説明するアプリケーションとは、無線ＬＡＮを介してインターネット網を利用した通話機能を有するＩＰ電話用アプリケーションである。また、携帯電話用通信部５２による発呼、及び無線ＬＡＮ用通信部５１による発呼の双方で共通の入力インターフェースの場合は、双方で共通の一の電話用アプリケーションであってよい。
【００３５】
［第１処理のフローチャート］
図２は、携帯端末１０が実行する第１処理のフローチャートである。
【００３６】
最初に、携帯端末１０は、発呼入力部３０からの発呼操作をユーザから受付ける（ステップＳ１０）。ユーザが、電話をかける際に、図３の例に示すように、携帯端末１０−ａの表示部に発呼のためのインターフェースを表示し、タッチパネルにより、電話番号の入力を受付ける。電話番号の入力は、数字を入力するか、アドレス帳より電話番号を選択することで受付ける。また、発信履歴、着信履歴等から、電話番号を選択してもよい。
【００３７】
ここで、発呼のためのインターフェースは、無線ＬＡＮ用通信部５１による発呼と、携帯電話用通信部５２による発呼とで、共通のインターフェースである。すなわち、ユーザが発呼を行う際に、無線ＬＡＮ用通信部５１、携帯電話用通信部５２のそれぞれの発呼により、異なるインターフェースを選択するものではなく、発呼する相手先の入力を受けるインターフェースが双方で共通であることが望ましい。
【００３８】
次に、無線ＬＡＮ電波状態判断手段２１は、無線ＬＡＮの電波状態を参照する（ステップＳ１１）。すなわち、無線ＬＡＮ電波状態判断手段２１は、無線ＬＡＮの電波強度（電界強度）について、ＯＳの通信モジュールを参照する。ＯＳの通信モジュールは、その携帯端末１０の無線ＬＡＮ用通信部５１が受信する電波強度に基づいて、信号の品質が「非常に良好」、「良好」、「悪い」等の判断を行う。無線ＬＡＮ電波状態判断手段２１は、この信号の品質を参照する。
【００３９】
無線ＬＡＮ電波状態判断手段２１が無線ＬＡＮの電波状態を良好であると判断した場合（ステップＳ１２：「ＹＥＳ」）には、ステップＳ１３に処理を移す。無線ＬＡＮ電波状態判断手段２１が無線ＬＡＮの電波状態を良好でないと判断した場合（ステップＳ１２：「ＮＯ」）には、ステップＳ１５に処理を移す。
【００４０】
ステップＳ１５において、携帯電話網電波状態判断手段２２は、携帯電話網の電波状態を参照する（ステップＳ１５）。すなわち、携帯電話網電波状態判断手段２２は、携帯電話網の電波強度（電界強度）についてＯＳの通信モジュールを参照する。ＯＳの通信モジュールは、その携帯端末１０の携帯電話用通信部５２が受信する電波強度に基づいて、信号の品質が「非常に良好」、「良好」、「悪い」等の判断を行う。携帯電話網電波状態判断手段２２は、この信号の品質を参照する。
【００４１】
携帯電話網電波状態判断手段２２が携帯電話網の電波状態を良好であると判断した場合（ステップＳ１６：「ＹＥＳ」）には、ステップＳ１７に処理を移す。すなわち、無線ＬＡＮによる通話を諦めて、携帯電話網を利用した、携帯電話用通信部を介した発呼処理を携帯電話用発呼実行手段２４が行う（ステップＳ１７）。携帯電話網電波状態判断手段２２が携帯電話網の電波状態を良好でないと判断した場合（ステップＳ１６：「ＮＯ」）には、携帯電話網、無線ＬＡＮによるインターネット網の双方において通話発信ができないため、双方の電波が充分でないことをユーザに通知する出力をして、処理を終了する。
【００４２】
ステップＳ１３において、加速度検知部４０は、速度又は加速度を検知しているかを判断する。すなわち、加速度検知部４０は携帯端末１０が、この時点で、移動中であるかを判断するために、所定の加速度を受けて、一定の速度で移動しているか、または、所定の加速度により移動しているかを判断する。速度については、過去の加速度やＧＰＳによる移動距離から判断してもよい。
【００４３】
加速度検知部４０が、速度又は加速度を検知していると判断した場合（ステップＳ１３：「ＹＥＳ」）には、ステップＳ１７に処理を移す。すなわち、速度又は加速度を検知していると判断した場合には、携帯端末１０は移動中であると判断して、ステップＳ１７に処理を移す。
【００４４】
ステップＳ１７において、携帯電話用発呼実行手段２４が、携帯電話用通信部５２を介して発呼処理を行う。
【００４５】
このように、携帯端末１０は移動中であると判断して、携帯電話網による発呼処理を行う際には、図３の携帯端末１０ーｂの表示部に表示するように、携帯端末１０が移動を検知したことで、携帯電話網（３Ｇ）を発呼において選択したことを表示してもよい。
【００４６】
通常、無線ＬＡＮの電波強度が良好であるエリアは、携帯電話網の電波強度が良好であるエリアよりも狭いため、携帯端末１０が移動している場合には、携帯電話網を利用した発呼処理を行うことで、発呼後の通話を中断させることがない。ここで、速度、加速度を検知していても、人が歩く速度（３ｋｍ／ｈ）程度であれば、無線ＬＡＮに接続すると判断してもよい。
【００４７】
加速度検知部４０が、速度又は加速度を検知していないと判断した場合（ステップＳ１３：「ＮＯ」）には、インターネット網発呼実行手段２３は、無線ＬＡＮを介してインターネット網を利用した発呼処理を行う（ステップＳ１４）。すなわち、ユーザは、ほぼ移動していないと判断され、無線ＬＡＮによる通話を選択する。
【００４８】
ＩＰ電話用アプリケーションとは、無線ＬＡＮを介してインターネット網を利用した通話用のアプリケーションであって、携帯端末１０で起動することが可能なアプリケーションである。ＩＰ電話用アプリケーションは、インターネット網を利用しており、通常の第３世代移動通信システムの携帯電話網を利用していないため、通話料を携帯端末事業者やアプリケーション提供者が徴収しない。
【００４９】
上記のような第１処理により、可能な限りＩＰ電話用アプリケーションを利用して発呼処理を行うようにすることは、ユーザが予め設定しておくことが可能である。図４に示すように、携帯端末１０は、ユーザから、発呼を行う際のネットワーク選択ルールの入力を受付けるインターフェースを表示する。
【００５０】
通話料節約ルールをユーザが選択することで、携帯端末１０は、第１処理を実行し、通話料がかからないＩＰ電話用アプリケーションを利用して、携帯端末通話料を可能な限り節約するアルゴリズムを採用する。図４に示すように、「歩いていても無線エリアを使わない」は、移動している場合には、歩く程度の速度であっても、ネットワークとして、携帯電話網を選択する設定である。これが、加速度検知部４０に設定されると、歩いている程度の速度であっても、携帯電話網を選択する。
【００５１】
［第２処理のフローチャート］
図５は、携帯端末１０が実行する第２処理のフローチャートである。
第２処理は、第１処理と異なり、発呼操作を受けてから、ネットワークを選択するのではなく、発呼操作を受ける前に、ネットワークを事前に設定する処理である。
【００５２】
最初に、無線ＬＡＮ電波状態判断手段２１は、無線ＬＡＮの電波状態を参照する（ステップＳ２１）。本処理の内容は、第１処理のステップＳ１１と同じである。以降、ステップＳ２２の処理は、ステップＳ１２の処理と同じであり、ステップＳ２５の処理は、ステップＳ１５と同じである。
【００５３】
無線ＬＡＮの電波強度が充分であると判断した場合（ステップＳ２２）「ＹＥＳ」）は、インターネット網発呼設定手段２５は、無線ＬＡＮを介したインターネット網を利用した発呼処理を行うように設定する（ステップＳ２３）。ここでの設定とは、例えば、発呼を行う共通のインターフェースに対して、発呼操作がユーザからあった場合には、設定されたネットワークを選択して発呼を行う、事前の設定である。
【００５４】
無線ＬＡＮの電波強度が充分でないと判断した場合（ステップＳ２２）「ＮＯ」）は、携帯電話網電波状態判断手段２２は、携帯電話網の電波状態を参照する（ステップＳ２５）。そして、携帯電話網電波状態判断手段２２は、携帯電話網の強度が充分であると判断した場合（ステップＳ２６：「ＹＥＳ」）は、インターネット網発呼設定手段２５は、携帯電話用通信部５２を介して発呼処理を行うように設定する（ステップＳ２７）。携帯電話網電波状態判断手段２３は、携帯電話網の強度が充分でないと判断した場合（ステップＳ２６：「ＮＯ」）は、ネットワークの設定ができないため、ステップＳ２１に処理を戻す。
【００５５】
次に、発呼入力部３０は、ユーザからの発呼操作があったか否かを判断する（ステップＳ２４）。ユーザからの発呼操作がなかった場合（ステップＳ２４：「ＮＯ」）は、ステップＳ２１に処理を移す。ユーザからの発呼操作があった場合（ステップＳ２４：「ＹＥＳ」）は、ステップＳ２８に処理を移す。
【００５６】
ステップＳ２８において、加速度検知部４０は、所定の大きさの速度又は加速度を検知しているかを判断する。本処理の内容は、ステップＳ１３の処理と同じである。ここで、加速度検知部４０が所定の大きさの速度又は加速度を検知していると判断した場合（ステップＳ２８：「ＹＥＳ」）には、携帯電話用通信部５２を介して発呼処理を行う。本処理は、ステップＳ１７と同じである。加速度検知部４０が速度又は加速度を検知していないと判断した場合（ステップＳ２８：「ＮＯ」）には、ステップＳ２３又はステップＳ２７にて設定された発呼処理を実行する（ステップＳ３０）。
【００５７】
次に、図６に基づいて、電波状態に応じたネットワークの選択について説明する。エリア２において、無線ＬＡＮの電波エリアをエリア５、携帯電話網の電波エリアをエリア７とする。この場合、携帯端末１０−ｄの位置では、エリア５、エリア７の双方で、充分な電波強度を有するため、双方の電波受信マークともに良好となっている。
【００５８】
この場合には、双方のネットワークを選択可能であるが、第１処理、第２処理を実行することで、無線ＬＡＮによるインターネット網を優先して選択する。エリア３においては、無線ＬＡＮの電波エリアであるエリア５の電波強度が充分である一方、携帯電話網の電波エリアであるエリア７の電波強度が充分でないために、無線ＬＡＮによるインターネット網を選択する。
【００５９】
［第３処理のフローチャート］
次に、図７に基づいて、第３処理について説明する。第３処理は、無線ＬＡＮを介してインターネット網を利用した通話中に、事後的に無線ＬＡＮの電波状態が良好でなくなった場合に、携帯電話網にネットワークを切替える処理である。
【００６０】
本処理は、インターネット網発呼実行手段２３が、無線ＬＡＮを介してインターネット網を利用した発呼処理を行っている際に、起動される処理である。無線ＬＡＮ電波状態判断手段２１は、無線ＬＡＮの電波状態を参照し（ステップＳ５１）、現状で電波強度が充分であるか判断する（ステップＳ５２）。電波強度が充分であると判断した場合は、ステップＳ５１に処理を戻す（ステップＳ５２:「ＹＥＳ」）。無線ＬＡＮの電波強度が充分でないと判断した場合（ステップＳ５２：「ＮＯ」）は、携帯電話網電波判断手段２２が、携帯電話網の電波状態を参照する（ステップＳ５３）。
【００６１】
携帯電話網電波判断手段２２は、携帯電話網の電波強度が充分でないと判断した場合（ステップＳ５４：「ＮＯ」）は、処理をステップＳ５１に戻す。この場合は、ネットワーク切替えが不可能である。携帯電話網電波判断手段２２は、携帯電話網の電波強度が充分であると判断した場合（ステップＳ５４：「ＹＥＳ」）には、携帯電話用発呼実行手段２４が、インターネット網発呼実行手段２３より、通話中の相手先の電話番号を取得して、その相手先に携帯電話網を利用して呼接続要求を行う（ステップＳ５５）。
【００６２】
呼接続要求を受けた相手先の携帯端末１０が、携帯電話網の電波が良好である場合には、呼接続を完了する。ここで、呼接続要求を受けたことを携帯端末１０に出力せずに、呼接続を行ってもよいが、呼接続要求があったことを、音または表示により出力し、相手先であるユーザから呼接続を行うことを了承する入力操作を受け付けてもよい。呼接続要求を受けた相手先の携帯端末１０が携帯電話網の電波が良好でない場合や、相手先のユーザが了承を拒否した場合には、呼接続要求を完了することはできない。
【００６３】
携帯電話網用通信部５２は、携帯電話網の呼接続を完了した（ステップＳ５６：「ＹＥＳ」）場合には、無線ＬＡＮを介してインターネット網を利用した通話から、携帯電話網を利用した通話に、ネットワークを切替える（ステップＳ５７）。ネットワーク切替処理は、無線ＬＡＮに接続した状況で、かつ、携帯電話網にも接続した状況において、所定のタイミングで、無線ＬＡＮを介してインターネット網を利用した通話から、携帯電話網を利用した通話に、切替える。
【００６４】
例えば、無線ＬＡＮを介してインターネット網を利用するＩＰ電話用アプリケーションと、携帯電話網を利用した電話用アプリケーションがデュアルで起動されている状況で、音声回線はどちらも接続されている状態とする。しかし、ユーザが会話で発する音声の入力は、ＩＰ電話用アプリケーションからしか入力されないとする。
【００６５】
ここで、携帯端末１０には、ＩＰ電話用アプリケーションのユーザインターフェースが表示され、電話用アプリケーションのインターフェースは、ほとんど表示されていない。この状態で、ＩＰ電話用アプリケーションから、携帯電話網を利用した電話用アプリケーションにユーザインターフェースを切替えると同時に、ユーザが会話で発する音声の入力は、ＩＰ電話用アプリケーションから電話アプリケーションに切替える。
【００６６】
ネットワークを切替えた後は、所定時間後に、無線ＬＡＮを介してインターネット網を利用した通話を切断する。例えば、ＩＰ電話用のアプリケーションを閉じることで、終了する。
【００６７】
上述した手段、機能は、コンピュータ（ＣＰＵ，情報処理装置，各種端末を含む）が、所定のプログラムを読み込んで、実行することによって実現される。アプリケーションプログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からアプリケーションプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６８】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６９】
１０  携帯端末、３０  発呼入力部、４０  加速度検知部、５１  無線ＬＡＮ用通信部、５２  携帯電話用通信部
【図１】
0005248572.tif 000002
【図２】
0005248572.tif 000003
【図３】
0005248572.tif 000004
【図４】
0005248572.tif 000005
【図５】
0005248572.tif 000006
【図６】
0005248572.tif 000007
【図７】
0005248572.tif 000008